(57)【要約】【課題】  金属メッシュとシートを積層した防護材（裏地、エッジカバー及び梱包テープ）において、高強力繊維シート以外の安価なシートを用いても、シートと金属メッシュとの一体性を高めて、金属メッシュにおける編み目のずれを抑制し、必要な耐切創性を得る。【解決手段】  シート状の防護材１であって、金属繊維を編んで形成されるシート状の金属メッシュ２と、少なくとも一方の面に粘着層３ａを有する粘着シートと３を用い、金属メッシュ２の表裏両面に粘着層３ａが接触するように、粘着シート３間に金属メッシュ２を挟み込んで形成される。【選択図】        図１
2007098851.tif 000002
【特許請求の範囲】
【請求項１】
シート状の防護材であって、
金属繊維を編んで形成されるシート状の金属メッシュと、
少なくとも一方の面に粘着層を有する粘着シートとを用い、
前記金属メッシュの表裏両面に粘着層が接触するように、前記粘着シート間に前記金属メッシュを挟み込んで形成されることを特徴とする防護材。
【請求項２】
生地の裏面に重合される裏地であって、請求項１記載の防護材によって形成されることを特徴とする裏地。
【請求項３】
生地の縫合部分をカバーするエッジカバーであって、請求項１記載の防護材によって形成されることを特徴とするエッジカバー。
【請求項４】
商品の梱包に用いられる梱包テープであって、請求項１記載の防護材によって形成されることを特徴とする梱包テープ。
【発明の詳細な説明】
【技術分野】
【０００１】
本発明は、耐切創性に優れたシート状の防護材に関し、特に、裏地、エッジカバー及び梱包テープとして好適に用いることができる防護材に関する。
【背景技術】
【０００２】
近年、ナイフやカッターを用いた盗難が増加している。例えば、図６に示すようなリックサック１０では、前面ポケット部分１１をカッターなどで切断し、財布などを抜き取る被害が増えている。また、図７に示すように、エッジ部分１２にパイピング１３などの補強がなされたバッグ１４であっても、カッターなどで比較的容易に切断できるため、盗難の対象となっている。また、複数の商品を梱包テープで束ねた状態で陳列する販売手法において、梱包テープをカッターなどで切断し、一部の商品を抜き取る被害も増えている。
【０００３】
そこで、金属メッシュとシートを重ね合わせた防護材の利用が提案される。例えば、特許文献１に記載される防護材は、金属繊維を編んで形成されるシート状の金属メッシュと、高強力繊維を編んで形成される高強力繊維シートとを積層したものであり、耐切創性に優れる。このような防護材をバッグの裏地やエッジカバーとして使用したり、梱包テープとして使用すれば、ナイフやカッターを用いた盗難に対し、優れたプロテクト性を発揮できる。
【０００４】
しかしながら、防護材に使用される高強力繊維シート（例えば、アラミド繊維シート）は、一般に高価であり、バッグの裏地やエッジカバーに適用すると、大幅なコスト高を招来するという問題がある。また、高強力繊維シート以外の安価なシートと金属メッシュを積層した防護材も考えられるが、単にシートと金属メッシュを積層しても、必要な耐切創性を得ることはできない。これは、シートと金属メッシュとの一体性に劣り、金属メッシュの編み目が容易にずれてしまうことが原因と考えられる。
【特許文献１】特公平７−３１０３８号公報
【発明の開示】
【発明が解決しようとする課題】
【０００５】
本発明は、上記の如き問題点を一掃すべく創案されたものであって、高強力繊維シート以外の安価なシートを用いても、シートと金属メッシュとの一体性を高めて、金属メッシュにおける編み目のずれを抑制し、必要な耐切創性を得ることができる防護材、裏地、エッジカバー及び梱包テープの提供を目的とする。
【課題を解決するための手段】
【０００６】
上記課題を解決するために本発明の防護材は、シート状の防護材であって、金属繊維を編んで形成されるシート状の金属メッシュと、少なくとも一方の面に粘着層を有する粘着シートとを用い、前記金属メッシュの表裏両面に粘着層が接触するように、前記粘着シート間に前記金属メッシュを挟み込んで形成されることを特徴とするものである。
【０００７】
また、本発明の裏地は、生地の裏面に重合される裏地であって、上記の防護材によって形成されることを特徴とするものである。
【０００８】
また、本発明のエッジカバーは、生地の縫合部分をカバーするエッジカバーであって、上記の防護材によって形成されることを特徴とするものである。
【０００９】
また、本発明の梱包テープは、商品の梱包に用いられる梱包テープであって、上記の防護材によって形成されることを特徴とするものである。
【発明の効果】
【００１０】
本発明は、上記のように構成したことにより、高強力繊維シート以外の安価なシートを用いても、シートと金属メッシュとの一体性を高めて、金属メッシュにおける編み目のずれを抑制し、必要な耐切創性を得ることができる。
【発明を実施するための最良の形態】
【００１１】
［防護材］
以下、本発明の実施の形態を好適な実施の形態として例示する防護材を図面に基づいて詳細に説明する。図１は、本発明の実施形態に係る防護材の断面図である。この図に示すように、防護材１は、金属繊維を編んで形成されるシート状の金属メッシュ２と、少なくとも一方の面に粘着層３ａを有する粘着シート（粘着フィルム）３とを用いて形成される。ここに、本実施例では、後述する裏地シートとして用いる際に、生地の伸縮に適応できるよう、金属メッシュ２として極細ステンレス線（径0.1±0.03mm）をニット状に編み込むことにより０．１ｍｍ厚、ハニカム状６角３ｍｍ口形に成形したメッシュシート、粘着シート３として１．５ｍｍ厚のウレタンシート、粘着材としてポリエチレンテレフタレート（ＰＥＴ）を主成分とする糊を使用して防護材１を成形した。なお、金属メッシュ２を形成する金属繊維の材質に制限はなく、前記の他に例えば、鉄線、導線、真鍮線などを用いることができ、編み込みの他リング状メッシュなどその成形においても制限はない。また、金属繊維の太さや配向も任意であり、要求される耐切創性、重量、コストなどのバランスに応じて選択される。また、粘着シート３のシート素材としては、ＰＥＴ粘着薄膜シート、ＰＶＣフィルム、ジャージ、帆布（コットン）、ナイロン、皮革などを用いることができ、また、粘着層３ａを形成する粘着材としては、クロロプレンゴム、天然ゴム系、ニカワ、シリコン系などを選択できる。
【００１２】
本発明の実施形態に係る防護材１は、金属メッシュ２の表裏両面に粘着層３ａが接触するように、粘着シート３間に金属メッシュ２を挟み込んで形成される。このように形成される防護材１によれば、金属メッシュ２と表裏の粘着シート３が良好に一体化され、剥離のない恒久性が確保できるだけでなく、金属メッシュ２における編み目のずれを表裏の粘着層３ａで効果的に規制し、必要な耐切創性を確保することが可能となる。また、金属メッシュ２の編み目を介して粘着シート３同士が貼り合わされることで、更に強固に一体化することができる。
【００１３】
叙述の如く構成された本発明の実施形態において、防護材１は、金属メッシュ２を粘着シート３間に挟み込んで形成されているので、金属メッシュ２自体にのみにで耐切創性を保持する必要が無くなり、粘着シート３−金属メッシュ２−粘着シート３という三位一体により耐切創性を保持することができ、金属メッシュ２自体に極細ステンレス線により成形した軽量、薄厚で安価なメッシュシートを採用することが可能となり、縫製等の作業性を含め一般の布、織物などと同様に取り扱い得て、耐切創性が要求される防護材１の用途範囲を拡大することができ、例示する裏地、エッジカバー及び梱包テープなどとして好適に用いることができる。以下、各用途における防護材１の使用例について、図面を参照して説明する。
【００１４】
［裏地］
図２は、本発明の実施形態に係る裏地の断面図である。この図に示すように、裏地４は、図１に示す防護材１と同一の断面構成を備える。ただし、裏地４を構成する金属メッシュ２や粘着シート３の材質は、裏地４に要求される性能に応じて伸縮性、剛性等適宜に変更できることは言うまでもない。また、裏地４を生地５の裏面に接合させる方法は任意に選択できる。例えば、裏面にウレタンコーティング層５ａが形成された生地５であれば、表裏両面に粘着層６ａを備える両面粘着シート６（粘着材を塗布しても良い）を介して、裏地４（粘着シート３）と生地５を接合（貼り合わせ）することができる。
【００１５】
叙述の如く構成された本発明の実施形態に係る裏地４は、バッグなどに用いられる生地の裏地として好適に用いることができる。例えば、図６に示すようなリックサック１０においては、生地の一部又は全体を対象とし、その裏面に裏地４を接合することにより、従来の裏地と同様の縫製作業をもって縫い合わせることができ、その取扱いも極めて容易であり、リックサック１０の一部又は全体に優れた耐切創性を与えることができる。ここで、リックサック１０における生地の一部に裏地４を適用する場合、その適用箇所はリックサック１０の前面ポケット部分１１が好ましい。このようにすると、ナイフやカッターに対する基本的なプロテクト性能を確保しつつ、重量やコストの増加を最小限に抑えることができる。
【００１６】
また、本実施形態の裏地４が接合された生地５を使用する場合、図３の（Ｂ）に示すように、エッジカバーを省くことができる。すなわち、図３の（Ａ）に示すように、従来では、二枚の生地１５を縫合する場合、縫合箇所をエッジカバー１６でカバーし、再度縫合しているが、本実施形態の裏地４が接合された生地５を縫合する場合は、一方の生地５の端部を二回ほど折り返し、この折り返し部分に他方の生地５を差し込んで縫合すれば良く、その縫製作業においても従来の裏地と同様に行うことができる。このようにすると、エッジカバー１６が不要になるだけでなく、エッジ処理が簡略化されるので、大幅なコストダウンを図ることができる。
【００１７】
［エッジカバー］
図４は、本発明の実施形態に係るエッジカバーの使用例を示している。これらの図に示されるエッジカバー７は、図１に示す防護材１と同一の断面構成を備える。ただし、エッジカバー７を構成する金属メッシュ２や粘着シート３の材質は、エッジカバー７に要求される性能に応じて適宜変更できることは言うまでもない。
【００１８】
叙述の如く構成された本発明の実施形態に係るエッジカバー７は、バッグなどの縫合箇所をカバーするエッジカバーとして好適に用いることができる。例えば、図４に示すようなバッグ８においては、生地の縫合箇所をエッジカバー７で外側から挟んで縫合するだけで、バッグ８のエッジ部分に良好な外観と優れた耐切創性を与えることができる。しかも、本実施形態のエッジカバー７を用いると、パイピングなどの補強材が不要になるので、工程を簡略化してコストダウンが図れる。
【００１９】
［梱包テープ］
図５は、本発明の実施形態に係る梱包テープの使用例を示している。この図に示される梱包テープ９は、図１に示す防護材１と同一の断面構成を備える。ただし、梱包テープ９を構成する金属メッシュ２や粘着シート３の材質は、梱包テープ９に要求される性能に応じて適宜変更できることは言うまでもない。
【００２０】
叙述の如く構成された本発明の実施形態に係る梱包テープ９は、商品を梱包する梱包テープとして好適に用いることができる。例えば、図５に示すように、複数の商品を梱包テープ９で束ねた状態で陳列する販売手法において、本発明の梱包テープ９を適用すれば、梱包テープ９に優れた耐切創性が付与されるので、梱包テープ９をカッターなどで切断し、一部の商品を抜き取るような盗難行為に対し、良好なプロテクト性を発揮できる。
【００２１】
尚、本発明は、前記実施形態に限定されないことは勿論である。例えば、上記の説明では、防護材の好適な用途として、裏地、エッジカバー及び梱包テープを示したが、優れた耐切創性が求められる他の用途にも適用できることは言うまでもない。
【図面の簡単な説明】
【００２２】
【図１】本発明の実施形態に係る防護材の断面図である。
【図２】本発明の実施形態に係る裏地の断面図である。
【図３】（Ａ）は従来例に係るエッジ処理の説明図、（Ｂ）は本発明の実施形態に係るエッジ処理の説明図である。
【図４】（Ａ）は本発明の実施形態に係るエッジカバーの使用例を示すバッグの部分斜視図、（Ｂ）はエッジカバーの斜視図、（Ｃ）はエッジ部分の断面斜視図である。
【図５】本発明の実施形態に係る梱包テープの使用例を示す斜視図である。
【図６】従来例に係るリックサックの斜視図である。
【図７】（Ａ）は従来例に係るバッグの部分斜視図、（Ｂ）はパイピングの斜視図、（Ｃ）はエッジ部分の断面斜視図である。
【符号の説明】
【００２３】
１    防護材
２    金属メッシュ
３    粘着シート
３ａ  粘着層
４    裏地
５    生地
５ａ  ウレタンコーティング層
６    両面粘着シート
６ａ    粘着層
７    エッジカバー
８    バッグ
９    梱包テープ
１０  リックサック
１１  前面ポケット部分
１２  エッジ部分
１３  パイピング
１４  バッグ
１５  生地
１６  エッジカバー
【図１】
2007098851.tif 000003
【図２】
2007098851.tif 000004
【図３】
2007098851.tif 000005
【図４】
2007098851.tif 000006
【図５】
2007098851.tif 000007
【図６】
2007098851.tif 000008
【図７】
2007098851.tif 000009